(57)【要約】【課題】開閉部材に外力が加えられても閉位置から開位置へ変位させることができない弾球遊技機の入賞装置を提供すること。【解決手段】開閉部材７，８が閉位置にあるとき、第１突出部１１ｃは第１突杆７ｂの左側面および第１突杆８ｂの右側面に当接する位置にあり、開閉部材７，８に外力が加えられても、開閉部材７，８はレバー１１に変位を阻止されて閉位置に維持される。一方、開閉部材７，８を開動作させる際、レバー１１は、開閉部材７，８を変位させることなく上昇して、開閉部材７，８の開動作を阻止しない位置に達し、さらにレバー１１が変位すると、第１突出部１１ｃが第２突杆７ｃ，８ｃを押し上げ、開閉部材７，８を開動作させる。このとき、第１突出部１１ｃは既に開閉部材７，８の開動作を阻止しない状態となっているので、開閉部材７，８はレバー１１に動作を阻止されず、開位置へと変位する。【選択図】図５
0003141196.tif 000002
【実用新案登録請求の範囲】
【請求項１】
開位置と閉位置との間で変位可能な開閉部材と、動力源からの動力を前記開閉部材へと伝達して前記開閉部材を作動させる動力伝達手段とを備え、前記動力伝達手段を介して伝達される動力で前記開閉部材を前記閉位置から前記開位置へ開動作させると、前記開閉部材が前記閉位置にあるときよりも、入賞口に遊技球が入りやすい状態に切り替わる弾球遊技機の入賞装置であって、
前記動力伝達手段の少なくとも一部を構成する可動部材は、前記開閉部材が前記閉位置にあるときには第１の位置にあって、前記第１の位置において前記開閉部材の第１部分に当接することにより、前記開閉部材の開動作を阻止する状態になっており、
しかも、前記可動部材は、前記開閉部材を開動作させる際に、前記第１の位置から第２の位置を経て第３の位置へと移動する構造で、前記第１の位置から前記第２の位置へ移動する間には、前記開閉部材を変位させることなく前記第２の位置へ移動して、前記開閉部材の開動作を阻止しない状態となり、さらに、前記第２の位置から前記第３の位置へ移動する間には、前記開閉部材の第２部分に当接して、前記開閉部材を開動作させる
ことを特徴とする弾球遊技機の入賞装置。
【請求項２】
前記開閉部材は、第１突杆および第２突杆が突設された形状とされていて、
前記可動部材は、前記第１の位置において前記第１突杆に当接することにより、前記開閉部材の開動作を阻止する状態になっており、
しかも、前記可動部材は、前記第１の位置から前記第２の位置へ移動する間には、前記開閉部材を変位させることなく前記第２の位置へ移動して、前記開閉部材の開動作を阻止しない状態となり、さらに、前記第２の位置から前記第３の位置へ移動する間には、前記第２突杆に当接して、前記開閉部材を開動作させる
ことを特徴とする請求項１に記載の弾球遊技機の入賞装置。
【請求項３】
前記開閉部材および前記可動部材は、双方とも回動可能な構造で、
前記開閉部材および前記可動部材それぞれの回動中心となる軸線は、両方の軸線が水平となる配置状態とした場合に、当該水平な面に対して直交する方向から前記両方の軸線を平面視すると、前記両方の軸線が互いに直交する位置関係にあり、
前記可動部材は、前記第１の位置において前記第１突杆に当接して、前記第１突杆の水平方向への変位を阻止することにより、前記開閉部材の開動作を阻止する状態になっており、
しかも、前記可動部材は、前記第１の位置から前記第２の位置へ移動する間には、前記第１突杆を水平方向へ変位させることなく前記可動部材が鉛直方向へと変位することによって前記第２の位置へ移動して、前記開閉部材の開動作を阻止しない状態となる
ことを特徴とする請求項２に記載の弾球遊技機の入賞装置。
【請求項４】
前記動力伝達手段を介して伝達される動力で前記開閉部材を前記開位置から前記閉位置へ閉動作させる際、前記可動部材は、前記第３の位置から前記第１の位置へ移動する間に、前記第１突杆に当接して、前記開閉部材を閉動作させる
ことを特徴とする請求項２または請求項３に記載の弾球遊技機の入賞装置。
【請求項５】
前記開閉部材は、前記入賞口への通路となる間隙を挟む両側の位置それぞれに配置され、
前記両側の位置に配置された一対の前記開閉部材が、前記間隙を挟んで対称に動作して、双方の上端間の間隔が拡大する前記開位置、または、前記間隔が縮小する前記閉位置へ変位可能に構成されている
ことを特徴とする請求項１〜請求項４のいずれかに記載の弾球遊技機の入賞装置。
【考案の詳細な説明】
【技術分野】
【０００１】
本考案は、弾球遊技機の入賞装置に関する。
【背景技術】
【０００２】
従来、弾球遊技機が備える入賞装置の一つとして、入口となる箇所に配設された開閉部材を開閉動作させて、入口を開放（または拡大）したり閉鎖（または縮小）したりすることができるように構成された開閉機構付きの入賞装置が知られている（例えば、特許文献１，２参照）。
【０００３】
開閉機構の具体的な構造は、左右一対の開閉部材が左右対称に開閉動作するもの（いわゆるチューリップ型のもの；特許文献１参照）や、単一の開閉部材が正面側に向かって傾倒するもの（いわゆるアタッカー型のもの；特許文献２参照）など様々である。
【０００４】
ただし、どちらの構造においても、一つ以上の可動部品を備える動力伝達手段を介して、ソレノイドなどの動力源から開閉部材へと動力を伝達することにより、開閉部材を駆動する構造になっている点は共通している。
【特許文献１】特開平１０−１５５９８２号公報
【特許文献２】特開平１０−２５８１６０号公報
【考案の開示】
【考案が解決しようとする課題】
【０００５】
しかしながら、上記従来の開閉機構は、開閉部材に対して直接外力を加えれば、開閉部材を閉位置から開位置へ変位させることも可能な構造になっていた。
そのため、本来であれば、開閉部材を閉位置に維持しておきたい状況であるにもかかわらず、遊技球が開閉部材に勢いよく衝突すると、その勢いで開閉部材が一瞬開位置へと変位してしまい、不適正な入賞が発生してしまうおそれがあった。
【０００６】
また、悪意を持った不審者が、何らかの道具で開閉部材を引っかけるなどして、開閉部材を強制的に開位置へと変位させて不正に入賞を頻発させるなど、不正な遊技が行われてしまう可能性もあった。
【０００７】
本考案は、上記問題を解決するためになされたものであり、その目的は、開閉部材に外力が加えられるようなことがあっても、開閉部材が閉位置から開位置へ変位してしまうことのない弾球遊技機の入賞装置を提供することにある。
【課題を解決するための手段】
【０００８】
以下、本考案において採用した構成について説明する。
請求項１に記載の弾球遊技機の入賞装置は、開位置と閉位置との間で変位可能な開閉部材と、動力源からの動力を前記開閉部材へと伝達して前記開閉部材を作動させる動力伝達手段とを備え、前記動力伝達手段を介して伝達される動力で前記開閉部材を前記閉位置から前記開位置へ開動作させると、前記開閉部材が前記閉位置にあるときよりも、入賞口に遊技球が入りやすい状態に切り替わる弾球遊技機の入賞装置であって、前記動力伝達手段の少なくとも一部を構成する可動部材は、前記開閉部材が前記閉位置にあるときには第１の位置にあって、前記第１の位置において前記開閉部材の第１部分に当接することにより、前記開閉部材の開動作を阻止する状態になっており、しかも、前記可動部材は、前記開閉部材を開動作させる際に、前記第１の位置から第２の位置を経て第３の位置へと移動する構造で、前記第１の位置から前記第２の位置へ移動する間には、前記開閉部材を変位させることなく前記第２の位置へ移動して、前記開閉部材の開動作を阻止しない状態となり、さらに、前記第２の位置から前記第３の位置へ移動する間には、前記開閉部材の第２部分に当接して、前記開閉部材を開動作させることを特徴とする。
【０００９】
以上のように構成される弾球遊技機の入賞装置において、開閉部材は、開位置へ変位すると開閉部材が閉位置にあるときよりも入賞口に遊技球が入りやすい状態に切り替わるものである。ただし、開閉部材が閉位置にあるときに入賞口に遊技球が入るか否かは任意である。すなわち、開閉部材が閉位置にあるときには入賞口に遊技球が入りにくいものであってもよいし、開閉部材が閉位置にあるときには入賞口に遊技球が全く入らないものであってもよい。
【００１０】
このような開閉機構において、可動部材は、開閉部材が閉位置にあるときには第１の位置にあって、第１の位置において開閉部材の第１部分に当接することにより、開閉部材の開動作を阻止する状態になっている。そのため、この状態で、開閉部材に外力が加えられたとしても、開閉部材は可動部材に変位を阻止されて閉位置に維持される。
【００１１】
したがって、例えば、遊技球が開閉部材に勢いよく衝突しても、その勢いで開閉部材が開位置へと変位してしまうことはなく、不適正な入賞が発生するのを未然に防止できる。また、悪意を持った不審者が何らかの道具で開閉部材を引っかけるなどして開閉部材を強制的に開位置へと変位させようとしても、開閉部材を閉位置から動かすことはできないので、不正な遊技が行われてしまうのを未然に防止することもできる。
【００１２】
一方、可動部材は、上述のように開閉部材が閉位置にあるときに、開閉部材の動きを封じているものの、可動部材自体は移動可能な状態にある。そして、開閉部材を開動作させる際には、可動部材は、第１の位置から第２の位置を経て第３の位置へと移動する。
【００１３】
可動部材が第１の位置から第２の位置へ移動する間には、開閉部材を変位させることなく第２の位置へ移動して、開閉部材の開動作を阻止しない状態となる。さらに、可動部材が第２の位置から第３の位置へ移動する間には、開閉部材の第２部分に当接して、開閉部材を開動作させる。このとき、可動部材は、既に開閉部材の開動作を阻止しない状態となっているので、開閉部材は、可動部材に動作を阻止されることなく、開位置へと変位する。
【００１４】
つまり、可動部材は、第１の位置にあるときは、開閉部材の開動作を阻止する開動作阻止手段として機能する一方、第１の位置から第２の位置へ移動する間に開動作阻止手段としての機能を喪失する。そして、第２の位置から第３の位置へ移動する間には、動力伝達手段の一部として機能し、開閉部材を閉位置から開位置へと変位させるのである。
【００１５】
したがって、この開閉機構によれば、単一の可動部材で、上述したような動力伝達手段の一部と開動作阻止手段の双方を構成することができるので、両手段の機能を備えながら、動力伝達手段相当物と開動作阻止手段相当物とを別々に備えるものに比べ、構造の簡素化を図ることができる。
【００１６】
ところで、上記のような開閉機構を備えた入賞装置を構成するに当たって、開閉部材の具体的な形状については種々考え得るが、一例を挙げれば、請求項２に記載のとおり、前記開閉部材は、第１突杆および第２突杆が突設された形状とされていて、前記可動部材は、前記第１の位置において前記第１突杆に当接することにより、前記開閉部材の開動作を阻止する状態になっており、しかも、前記可動部材は、前記第１の位置から前記第２の位置へ移動する間には、前記開閉部材を変位させることなく前記第２の位置へ移動して、前記開閉部材の開動作を阻止しない状態となり、さらに、前記第２の位置から前記第３の位置へ移動する間には、前記第２突杆に当接して、前記開閉部材を開動作させる、といったものを考え得る。
【００１７】
このように構成された開閉機構を備えた入賞装置によれば、開閉部材は、第１突杆および第２突杆が突設された形状とされているものなので、開閉部材の形状を過剰に複雑なものとすることなく、請求項１に記載の弾球遊技機の入賞装置について述べたとおりの作用、効果を奏する構造を構築することができる。
【００１８】
また、上記のような開閉機構を備えた入賞装置を構成するに当たって、開閉部材および可動部材それぞれの具体的な動作態様も種々考え得るが、一例を挙げれば、双方とも回動可能に構成されているものなどを考えることができる。より具体的には、例えば、請求項３に記載のとおり、前記開閉部材および前記可動部材は、双方とも回動可能な構造で、前記開閉部材および前記可動部材それぞれの回動中心となる軸線は、両方の軸線が水平となる配置状態とした場合に、当該水平な面に対して直交する方向から前記両方の軸線を平面視すると、前記両方の軸線が互いに直交する位置関係にあり、前記可動部材は、前記第１の位置において前記第１突杆に当接して、前記第１突杆の水平方向への変位を阻止することにより、前記開閉部材の開動作を阻止する状態になっており、しかも、前記可動部材は、前記第１の位置から前記第２の位置へ移動する間には、前記第１突杆を水平方向へ変位させることなく前記可動部材が鉛直方向へと変位することによって前記第２の位置へ移動して、前記開閉部材の開動作を阻止しない状態となる、といったものを挙げることができる。
【００１９】
このように構成された開閉機構において、可動部材は、第１の位置から第２の位置へ移動する間には、第１突杆を水平方向へ変位させることなく可動部材が鉛直方向へと変位することによって第２の位置へ移動する。このような動作をする可動部材であれば、第１の位置において第１突杆に当接した際、可動部材を鉛直方向へ変位させやすい構造としても水平方向へは変位しない構造にできるので、第１突杆の水平方向への変位を容易に阻止することができ、開動作阻止手段としての機能を発揮させることができる。
【００２０】
さらに、請求項４に記載の弾球遊技機の入賞装置は、請求項２または請求項３に記載の弾球遊技機の入賞装置において、前記動力伝達手段を介して伝達される動力で前記開閉部材を前記開位置から前記閉位置へ閉動作させる際、前記可動部材は、前記第３の位置から前記第１の位置へ移動する間に、前記第１突杆に当接して、前記開閉部材を閉動作させることを特徴とする。
【００２１】
このように構成された開閉機構を備えた入賞装置であれば、可動部材は、第１突杆を利用して開閉部材を閉動作させることができるので、第１突杆は、可動部材による開動作阻止対象として機能するのに加え、可動部材が開閉部材を閉動作させる際の動力伝達対象としても機能することになる。したがって、可動部材による開動作阻止対象と可動部材が開閉部材を閉動作させる際の動力伝達対象とを別々に備えるものに比べ、構造の簡素化を図ることができる。
【００２２】
また、請求項５に記載の弾球遊技機の入賞装置は、請求項１〜請求項４のいずれかに記載の弾球遊技機の入賞装置において、前記開閉部材は、前記入賞口への通路となる間隙を挟む両側の位置それぞれに配置され、前記両側の位置に配置された一対の前記開閉部材が、前記間隙を挟んで対称に動作して、双方の上端間の間隔が拡大する前記開位置、または、前記間隔が縮小する前記閉位置へ変位可能に構成されていることを特徴とする。
【００２３】
このような開閉機構であれば、弾球遊技機の分野においてチューリップ型と呼ばれる開閉機構となるので、チューリップ型の開閉機構を備えた入賞装置を構成することができる。
【００２４】
なお、本考案の入賞装置は、チューリップ型の開閉機構にのみ適用可能な技術ではなく、例えば、単一の開閉機構を備えたアタッカー型の入賞装置として構成することも可能である。あるいは、いわゆるワープ通路などの入口部分などに本考案の構成を適用してもよい。さらに、これら本考案の構成を適用した入賞装置は、賞球のある入賞口、賞球のない入賞口、どちらをも構成可能な装置であり、具体的には、いわゆるスタートチャッカー、スルーチャッカー、アタッカー、その他の入賞口、いずれを構成する際にも利用可能である。
【考案を実施するための最良の形態】
【００２５】
次に、本考案の実施形態について一例を挙げて説明する。
図１（ａ）および同図（ｂ）は、本考案の一実施形態として例示する入賞装置の斜視図である。なお、図中に示す前後左右上下は、入賞装置の構造を説明しやすくするため便宜的に規定したものであるが、この入賞装置が弾球遊技機の遊技盤上に取り付けられた状態において、図中前側が遊技者側（遊技機正面側）となり、図中後側が遊技機の内部側（遊技機背面側）となる方向でもある。
【００２６】
この入賞装置１は、図１（ａ）および同図（ｂ）に示すように、前面側上方に第１入球口３ａ、前面側下方に第２入球口３ｂが形成されたベース部品３と、ベース部品３の前面側に固定された前飾り５と、ベース部品３と前飾り５との間に挟み込まれて回動可能に支持された開閉部材７，８と、ベース部品３の後面側に固定された裏カバー９とを備えている。
【００２７】
これらの内、開閉部材７，８は、第２入球口３ｂの上端付近において第２入球口３ｂへの通路となる間隙をなし、この間隙を挟んで互いに相反する方向へ回動することにより、開閉部材７，８の上端間の間隔が縮小する閉位置（図１（ａ）参照）、または上端間の間隔が拡大する開位置（図１（ｂ）参照）へ変位可能となっている。
【００２８】
図２は、上述した入賞装置１の構成部品の内、開閉部材７，８とベース部品３を抜粋して示す図であり、（ａ）はその平面図、（ｂ）はその正面図、（ｃ）はその右側面図である。
【００２９】
開閉部材７，８は、図２（ａ）〜同図（ｃ）に示すように、それぞれ回転軸７ａ，８ａを中心に回動可能で、各開閉部材７，８の後面側には、後方に向かって突出する第１突杆７ｂ，８ｂと、第２突杆７ｃ，８ｃが形成されている。
【００３０】
これら第１突杆７ｂ，８ｂおよび第２突杆７ｃ，８ｃは、いずれも第２入球口３ｂの内側を前方から後方へと通り抜けていて、これにより、開閉部材７，８が特定の可動範囲内で動作するようになっている。
【００３１】
具体的には、開閉部材７，８が開位置側から閉位置側へ向かって変位（閉動作）する際には、第１突杆７ｂ，８ｂが第２入球口３ｂの内周面に当接するまで変位可能で、当接した位置が閉位置となる。一方、開閉部材７，８が閉位置側から開位置側へ向かって変位（開動作）する際には、第２突杆７ｃ，８ｃが第２入球口３ｂの内周面に当接するまで変位可能で、当接した位置が開位置となる。
【００３２】
図３は、上述した入賞装置１の構成部品の内、ベース部品３と裏カバー９を抜粋して示す右側面図である。図３に示すように、裏カバー９は、ベース部品３の後側に固定されている。この裏カバー９の下部には、レバー１１が設けられている。このレバー１１は回動軸１１ａを有する形状に成形されていて、レバー１１の回動軸１１ａが裏カバー９下部の軸受部９ａに嵌め込まれることにより、レバー１１は回動可能な状態で支持されている。
【００３３】
このレバー１１は、開閉部材７，８を作動させるために設けられた部材で、本考案でいう動力伝達手段に相当するものであり、動力伝達手段の少なくとも一部を構成する可動部材に相当するものでもある。
【００３４】
図４は、上述した入賞装置１の構成部品の内、開閉部材７，８とレバー１１を抜粋して示す図であり、（ａ）はその平面図、（ｂ）はその正面図、（ｃ）はその右側面図である。レバー１１には、図４（ａ）〜同図（ｃ）に示すように、ソレノイド１３のプランジャ１３ａが連結されている。このソレノイド１３は、裏カバー９が備えるソレノイド取付部９ｂ（図３参照）に固定されるものである。
【００３５】
ソレノイド１３のプランジャ１３ａは、二つのフランジ部を有する形状になっていて、それら二つのフランジ部間にある隙間には、レバー１１に形成された連結突起１１ｂが遊嵌した状態になっている。
【００３６】
図５は、レバーの作動状態を説明するための図であり、（ａ）は前端部が下降位置にある状態のレバーとソレノイドの右側面図、（ｂ）は前端部が下降位置にある状態のレバーとソレノイドと開閉部材の斜視図、（ｃ）は前端部が上昇位置にある状態のレバーとソレノイドの右側面図、（ｄ）は前端部が上昇位置にある状態のレバーとソレノイドと開閉部材の斜視図、（ｅ）は前端部が下降位置にある状態のレバーとソレノイドと開閉部材の背面図である。
【００３７】
ソレノイド１３に駆動電力を与えてプランジャ１３ａを前後方向に進退動作させると、プランジャ１３ａは、レバー１１の回動中心（回動軸１１ａ）から離れた位置にある連結突起１１ｂを前後方向へ変位させようとするため、図５（ａ）および同図（ｃ）に示すように、レバー１１が回動することになる。
【００３８】
また、レバー１１の前端部は、左右両側それぞれに第１突出部１１ｃ、第２突出部１１ｄ、第３突出部１１ｅを有する形状とされている。これら第１突出部１１ｃ、第２突出部１１ｄ、第３突出部１１ｅは、レバー１１の回動時に開閉部材７，８が備える第１突杆７ｂ，８ｂないし第２突杆７ｃ，８ｃに当接して、ソレノイド１３からの動力を開閉部材７，８へと伝達する部分である。
【００３９】
具体的には、開閉部材７，８が閉位置にある場合、レバー１１の前端部は下降した位置にある（図５（ａ）および同図（ｂ）参照）。この状態において、ソレノイド１３のプランジャ１３ａが後方へ変位すると、レバー１１は前端部を上昇させる方向へ回動する。
【００４０】
このとき、第１突出部１１ｃは、開閉部材７，８が備える第２突杆７ｃ，８ｃを押し上げるため、これに伴って開閉部材７，８も回動して閉位置から開位置へと変位する。なお、開閉部材７，８が開位置へ変位すると、開閉部材７，８が備える第１突杆７ｂ，８ｂは、ちょうど第１突出部１１ｃと第３突出部１１ｅとの間に入り込む。これにより、第３突出部１１ｅは、開閉部材７，８が開位置から閉位置へ変位するのを阻止する。
【００４１】
さて、こうして開閉部材７，８が開位置に変位した場合、レバー１１の前端部は上昇した位置にある（図５（ｃ）および同図（ｄ）参照）。この状態において、ソレノイド１３のプランジャ１３ａが前方へ変位すると、レバー１１は前端部を下降させる方向へ回動する。
【００４２】
このとき、第１突出部１１ｃは、開閉部材７，８が備える第１突杆７ｂ，８ｂを押し下げるため、これに伴って開閉部材７，８も回動して開位置から閉位置へと変位する。なお、開閉部材７，８が閉位置へ変位すると、開閉部材７，８が備える第２突杆７ｃ，８ｃは、第１突出部１１ｃと第２突出部１１ｄとの間に入り込む。これにより、第２突出部１１ｄは、開閉部材７，８が閉位置から開位置へ変位するのを阻止する。
【００４３】
ところで、開閉部材７，８が閉位置にあるときには、第１突出部１１ｃは、第１突杆７ｂの左側面および第１突杆８ｂの右側面に当接する位置（本考案でいう第１の位置）にあり、これにより、開閉部材７，８の開動作を阻止する状態になっている（図５（ｂ）および図５（ｅ）参照）。
【００４４】
すなわち、開閉部材７，８は、第１突杆７ｂ，８ｂを側方へ変位させつつ回動するが、その側方への変位が第１突出部１１ｃによって阻止されているため、開閉部材７，８は回動不能な状態になっている。そのため、この状態で、開閉部材７，８に外力が加えられたとしても、開閉部材７，８はレバー１１に変位を阻止されて閉位置に維持される。
【００４５】
したがって、例えば、遊技球が開閉部材７，８に勢いよく衝突しても、その勢いで開閉部材７，８が開位置へと変位してしまうことはなく、不適正な入賞が発生するのを未然に防止できる。また、悪意を持った不審者が何らかの道具で開閉部材７，８を引っかけるなどして開閉部材７，８を強制的に開位置へと変位させようとしても、開閉部材７，８を閉位置から動かすことはできないので、不正な遊技が行われてしまうのを未然に防止することもできる。
【００４６】
一方、レバー１１は、上述のように開閉部材７，８が閉位置にあるときに、開閉部材７，８の動きを阻止しているが、レバー１１自体は移動可能な状態にある。そして、開閉部材７，８を開動作させる際、レバー１１は、まず開閉部材７，８を変位させることなく上昇して、開閉部材７，８の開動作を阻止しない位置（本考案でいう第２の位置）に達する。
【００４７】
そして、さらにレバー１１が変位すると、第１突出部１１ｃが第２突杆７ｃ，８ｃを押し上げる位置（本考案でいう第３の位置）に到達し、以降は、開閉部材７，８を開動作させる。このとき、第１突出部１１ｃは、既に開閉部材７，８の開動作を阻止しない状態となっているので、開閉部材７，８は、レバー１１に動作を阻止されることなく、開位置へと変位する。
【００４８】
つまり、レバー１１が回動を開始してから開閉部材７，８が開始するまでには僅かな時差あり、その時差分だけレバー１１が回動する間に、第１突出部１１ｃは第１突杆７ｂ，８ｂの変位を妨げない位置に達するのである。
【００４９】
したがって、このような開閉機構によれば、単一のレバー１１を、ソレノイド１３から開閉部材７，８へ動力を伝達する動力伝達手段として機能させるとともに、開閉部材７，８が開位置から変位するのを規制する開動作阻止手段としても機能させることができるので、両手段の機能を備えながら、これら動力伝達手段相当物と開動作阻止手段相当物とを別々に備えるものに比べ、開閉機構の構造を簡素化することができる。
【００５０】
以上、本考案の実施形態について説明したが、本考案は上記の具体的な一実施形態に限定されず、この他にも種々の形態で実施することができる。
例えば、上記実施形態においては、開閉部材７，８が間隙をなす位置に第１入球口３ａを設けてあったので、開閉部材７，８が閉位置にある場合、開閉部材７，８のなす間隙はちょうど第１入球口３ａによって塞がれる構造となっていたが、第１入球口３ａを設けるか否かは任意である。すなわち、第１入球口３ａを設けなければ、より一般的なチューリップ型入賞装置となるが、この場合でも、本考案の構成を採用することができる。
【００５１】
また、上記実施形態においては、開閉部材７，８が閉位置にある場合、完全に遊技球が第２入球口３ｂへと侵入できないが、開閉部材７，８が閉位置にある状態で、遊技球が第２入球口３ｂへと侵入するのに必要な隙間が、開閉部材７，８間にいくらか残されているようなものでもよく、特に、チューリップ型入賞装置の場合は、遊技球１球分の隙間が残されているのが一般的である。
【００５２】
さらに、本考案の構成は、遊技球を遊技盤の裏側へと導く構造の入賞装置の他、遊技盤の表側で遊技球を通過させる通過ゲート（いわゆるスルーチャッカーなど）の入口部分に設けることもできる。あるいは、ワープ通路と呼ばれる部分の入口に本考案の構成を適用してもよい。
【００５３】
加えて、上述の実施形態では、本考案の構成をチューリップ型開閉機構に適用した例について詳述したが、本考案の構成をアタッカー型の入賞装置に適用することもできる。例えば、上述したチューリップ型開閉機構の左右いずれか半分に相当する構造を、そのまま水平に９０度回転させれば、開閉部材が閉位置から開位置に変位すると前傾する構造となるので、このような構造を持つアタッカー型の入賞装置を構成すればよい。
【００５４】
このようにアタッカー型入賞装置において本考案の構成を適用した場合でも、遊技球が衝突した勢いで開閉部材が開放されない、不審者が外力を加えても開閉部材が開放されない、といった効果については、上述の実施形態と全く同様の効果があるものと期待できる。
【００５５】
なお、本考案の入賞装置は、弾球遊技機の遊技盤に装着して利用されるものであり、この弾球遊技機としてはぱちんこ遊技機が最も一般的であるが、ぱちんこ遊技機の他、アレンジボールやその他の弾球遊技機であっても、本考案の入賞装置を装着可能である。
【図面の簡単な説明】
【００５６】
【図１】本考案の開閉機構を備えた弾球遊技機用の入賞装置を示す図であり、（ａ）は開閉部材が閉位置にある場合の斜視図、（ｂ）は開閉部材が開位置にある場合の斜視図。
【図２】開閉部材とベース部品を示す図であり、（ａ）はその平面図、（ｂ）はその正面図、（ｃ）はその右側面図。
【図３】ベース部品と裏カバーとレバーを示す右側面図。
【図４】開閉部材とレバーとソレノイドを示す図であり、（ａ）はその平面図、（ｂ）はその正面図、（ｃ）はその右側面図。
【図５】（ａ）は前端部が下降位置にある状態のレバーとソレノイドの右側面図、（ｂ）は前端部が下降位置にある状態のレバーとソレノイドと開閉部材の斜視図、（ｃ）は前端部が上昇位置にある状態のレバーとソレノイドの右側面図、（ｄ）は前端部が上昇位置にある状態のレバーとソレノイドと開閉部材の斜視図、（ｅ）は前端部が下降位置にある状態のレバーとソレノイドと開閉部材の背面図。
【符号の説明】
【００５７】
１・・・入賞装置、３・・・ベース部品、３ａ・・・第１入球口、３ｂ・・・第２入球口、５・・・前飾り、７・・・開閉部材、７ａ・・・回転軸、７ｂ，８ｂ・・・第１突杆、７ｃ，８ｃ・・・第２突杆、９・・・裏カバー、９ａ・・・軸受部、９ｂ・・・ソレノイド取付部、１１・・・レバー、１１ａ・・・回動軸、１１ｂ・・・連結突起、１１ｃ・・・第１突出部、１１ｄ・・・第２突出部、１１ｅ・・・第３突出部、１３・・・ソレノイド、１３ａ・・・プランジャ。
【図１】
0003141196.tif 000003
【図２】
0003141196.tif 000004
【図３】
0003141196.tif 000005
【図４】
0003141196.tif 000006
【図５】
0003141196.tif 000007